(57)【特許請求の範囲】
【請求項１】
柱体と、屋根体とを備え、
前記屋根体は、前記柱体に連結される桁材と、前記桁材に取り付けられる枠材と、前記枠材に取り付けられる複数の軒天パネルとを備え、
前記枠材は、前記桁材の長手方向に交差する方向に沿って配置され、
前記柱体と前記桁材との連結位置は、前記桁材の長手方向に沿った任意の位置であり、
前記複数の軒天パネルは、相互に接合可能な連結部を有し、
前記桁材は、前記複数の軒天パネルのうち隣接する軒天パネルの前記連結部に対して接合可能な連結部と、前記複数の軒天パネルと連なって配置される桁パネル部とを有し、
前記桁材および前記軒天パネルの連結部同士の接合構造は、前記複数の軒天パネルの連結部同士の接合構造と共通の構造である
ことを特徴とする屋根構築物。
【請求項２】
請求項１に記載の屋根構築物において、
前記桁材と前記枠材との取付位置は、前記複数の軒天パネルの各幅寸法に応じた寸法毎の任意の位置とされる
ことを特徴とする屋根構築物。
【請求項３】
請求項１または請求項２に記載の屋根構築物において、
前記桁パネル部の幅寸法は、前記軒天パネルの幅寸法または前記軒天パネルの幅寸法の整数倍に応じた寸法とされる
ことを特徴とする屋根構築物。
【請求項４】
請求項３に記載の屋根構築物において、
前記桁材は、前記桁パネル部を構成するパネル材を備え、
前記パネル材の幅寸法は、前記軒天パネルの幅寸法に応じた寸法とされ、
前記桁パネル部の幅寸法が前記軒天パネルの幅寸法の２以上の整数倍に応じた寸法である場合には、前記パネル材は、前記軒天パネルの幅寸法に応じた寸法毎に配置される
ことを特徴とする屋根構築物。
【請求項５】
請求項１から請求項４のいずれか一項に記載の屋根構築物において、
前記屋根体は、前記桁パネル部または前記軒天パネルと連なって位置する樋受けを備え、
前記樋受けの幅寸法は、前記軒天パネルの幅寸法に応じた寸法とされる
ことを特徴とする屋根構築物。
【請求項６】
請求項１から請求項５のいずれか一項に記載の屋根構築物において、
前記柱体は、前記屋根体の外周縁から面内方向の内側に離れて位置する
ことを特徴とする屋根構築物。
【請求項７】
請求項１から請求項６のいずれか一項に記載の屋根構築物において、
前記桁材は、前記枠材に沿った方向に一対設けられ、
前記枠材は、前記桁材に沿った方向に一対設けられ、
前記一対の桁材の両端は、前記一対の枠材に取り付けられ、
前記軒天パネルの両端は、前記一対の枠材に取り付けられ、
前記桁材および前記軒天パネルは、前記一対の枠材に沿った方向で並んで配置される
ことを特徴とする屋根構築物。
【発明の詳細な説明】
【技術分野】
【０００１】
本発明は、屋根付き門、カーポートなどの屋根構築物に関する。
【背景技術】
【０００２】
従来、屋根構築物として、柱体と、屋根体とを備え、柱体は、柱部材と、この柱部材の上端に固定した腕木部材とを有して構成され、屋根体は、屋根枠と、屋根パネルと、桁部材とを有して構成された屋根付き門が知られている（特許文献１参照）。特許文献１に記載の屋根付き門では、腕木部材には、桁部材が載置される桁載置部が形成されており、この桁載置部に、桁部材を長手方向へ位置調整可能に連結固定している。また、屋根枠には、垂木が取り付けられており、この垂木に桁部材を固定している。
【先行技術文献】
【特許文献】
【０００３】
【特許文献１】実公昭６３−３９３５７号公報
【発明の概要】
【発明が解決しようとする課題】
【０００４】
一般に、住宅等の塀などに屋根付き門を連設する際には、予め塀と屋根付き門との各寸法や配置が整合するように設計し、設計寸法に従って材料の加工や施工を行うため、設計から施工までに相当の日数を要する。
特許文献１に記載の屋根付き門では、柱体に対して桁部材がその長手方向へ位置調整可能に連結固定される。このため、桁部材に沿った移動方向に関しては、柱体が当初設計とは異なる寸法や配置であっても、柱体に位置に応じて作業現場において桁部材を位置調整でき、現場での施工性を向上できる。
【０００５】
しかし、特許文献１に記載の屋根付き門では、屋根枠に取り付けられた垂木に桁部材が移動不能に固定されているため、桁部材の長手方向に直交する水平方向に桁部材を位置調整することはできない。これにより、桁部材の長手方向に直交する水平方向において、桁部材の位置を柱体の位置に対応して調整することは困難である。従って、桁部材の長手方向に直交する水平方向において柱体の位置を変更すれば、柱体の桁載置部に対する桁部材の固定を行えなくなるので、桁部材が連結する柱体の位置調整可能な方向を拡張することは困難である。
【０００６】
本発明は、柱体の位置調整可能な方向を拡張して施工性を向上できる屋根構築物を提供することにある。
【課題を解決するための手段】
【０００７】
本発明の屋根構築物は、柱体と、屋根体とを備え、前記屋根体は、前記柱体に連結される桁材と、前記桁材に取り付けられる枠材と、前記枠材に取り付けられる複数の軒天パネルとを備え、前記枠材は、前記桁材の長手方向に交差する方向に沿って配置され、前記柱体と前記桁材との連結位置は、前記桁材の長手方向に沿った任意の位置であり、前記複数の軒天パネルは、相互に接合可能な連結部を有し、前記桁材は、前記複数の軒天パネルのうち隣接する軒天パネルの前記連結部に対して接合可能な連結部と、前記複数の軒天パネルと連なって配置される桁パネル部とを有し、前記桁材および前記軒天パネルの連結部同士の接合構造は、前記複数の軒天パネルの連結部同士の接合構造と共通の構造であることを特徴とする。
【０００８】
本発明の屋根構築物によれば、柱体と桁材との連結位置が桁材の長手方向に沿った任意の位置であるため、柱体の位置を桁材に沿った方向に任意に位置調整できる。さらに、桁材および軒天パネルの連結部同士の接合構造は、複数の軒天パネルの連結部同士の接合構造と共通の構造であるため、桁パネル部と軒天パネルとを設計上適宜に並べ替えて接合できる。このため、桁材を枠材に沿った方向に位置設定でき、柱体を枠材に沿った方向に任意に位置調整できる。従って、例えば屋根構築物の現場施工時における柱体の位置が、工場出荷時の初期設定位置に対して変更を要する場合、柱体の位置を桁材に沿った方向および枠材に沿った方向の二方向に位置調整でき、施工性を向上できる。
【０００９】
本発明の屋根構築物では、前記桁材と前記枠材との取付位置は、前記複数の軒天パネルの各幅寸法に応じた寸法毎の任意の位置とされることが好ましい。
このような構成によれば、前記桁材と前記枠材との取付位置を複数の軒天パネルの各幅寸法に応じた寸法毎に設定可能であるため、任意枚数の軒天パネルの枠材への取付位置を変更することで、桁材の位置調整の自由度を向上できる。
ここで、軒天パネルの幅寸法とは、軒天パネルの見え掛かり面の幅寸法を意味する。複数の軒天パネルは、互いに同幅寸法であるもののほか、互いに付け替え可能な範囲内で互いに異なる幅寸法を有するものであってもよい。
【００１０】
本発明の屋根構築物では、前記桁パネル部の幅寸法は、前記軒天パネルの幅寸法または前記軒天パネルの幅寸法の整数倍に応じた寸法とされることが好ましい。
このような構成によれば、桁パネル部の幅寸法が一枚の軒天パネルの幅寸法に応じた寸法である場合には、天井面を形成する桁パネル部および軒天パネルの下面形状を、外観上同じとなるように形成することが簡単となる。また、桁パネル部の幅寸法が一枚の軒天パネルの幅寸法の整数倍に応じた寸法（二枚以上の軒天パネルの幅寸法に応じた寸法）である場合には、桁パネル部の下面形状を、二枚以上の軒天パネルが並設された状態における下面全体の形状と外観上同じとなるように形成することが簡単となる。このように桁パネル部および複数の軒天パネルの下面形状を形成した場合には、桁パネル部および軒天パネルによって、枠材に沿って連続する形状とされて繰り返しパターンの意匠を構成する天井面を形成できる。
また、柱体に位置に対応して、桁材を枠材に沿って位置調整した場合であっても、前述した繰り返しパターンの意匠が損なわれることなく維持できる。
【００１１】
本発明の屋根構築物では、前記桁材は、前記桁パネル部を構成するパネル材を備え、前記パネル材の幅寸法は、前記軒天パネルの幅寸法に応じた寸法とされ、前記桁パネル部の幅寸法が前記軒天パネルの幅寸法の２以上の整数倍に応じた寸法である場合には、前記パネル材は、前記軒天パネルの幅寸法に応じた寸法毎に配置されることが好ましい。
このような構成によれば、桁パネル部の幅寸法が軒天パネルの幅寸法の２以上の整数倍に応じた寸法であっても、パネル材を軒天パネルの幅寸法に応じた寸法毎に配置することで、天井面を形成する桁パネル部および軒天パネルの下面形状を容易に統一でき、繰り返しパターンの意匠を構成する天井面を簡単に形成できる。
【００１２】
本発明の屋根構築物では、前記屋根体は、前記桁パネル部または前記軒天パネルと連なって位置する樋受けを備え、前記樋受けの幅寸法は、前記軒天パネルの幅寸法に応じた寸法とされることが好ましい。
このような構成によれば、枠材と樋受けとの取付位置が、軒天パネルの幅寸法に応じた寸法毎に設定可能とされるため、樋受けを枠材に沿った方向に位置設定可能となる。このため、排水位置の移動を簡単に行うことができ、位置設定の自由度を拡げて施工性のさらなる向上を図れる。
【００１３】
本発明の屋外構築物では、前記柱体は、前記屋根体の外周縁から面内方向の内側に離れて位置することが好ましい。
このような構成によれば、柱体が屋根体の外周縁から面内方向の内側に離れて位置するため、例えば、柱体に外壁材が取り付けられる場合、柱体と外壁材との接合部分に笠木などの雨仕舞を設ける必要がなく、施工の簡略化を図れる。
【００１４】
本発明の屋根構築物では、前記桁材は、前記枠材に沿った方向に一対設けられ、前記枠材は、前記桁材に沿った方向に一対設けられ、前記一対の桁材の両端は、前記一対の枠材に取り付けられ、前記軒天パネルの両端は、前記一対の枠材に取り付けられ、前記桁材および前記軒天パネルは、前記一対の枠材に沿った方向で並んで配置されることが好ましい。
このような構成によれば、一対の枠材間における一対の桁材および軒天パネルの位置を枠材に沿ってそれぞれ調整可能となる。このため、一対の桁材がそれぞれ取り付けられるべき一対の柱体の枠材に沿った方向における設置位置の自由度を向上できる。
【発明の効果】
【００１５】
本発明によれば、柱体の位置調整可能な方向を拡張して施工性を向上できる屋根構築物を提供できる。
【図面の簡単な説明】
【００１６】
【図１】本実施形態に係る屋根構築物を示す斜視図。
【図２】図１のＩＩ−ＩＩ線に沿った縦断面図。
【図３】前記実施形態に係る屋根構築物を間口方向からみて示す縦断面図。
【図４】前記実施形態に係る屋根構築物の要部を拡大して示す縦断面図。
【図５】前記実施形態に係る屋根構築物の桁材の配置を説明するための模式図。
【図６】前記実施形態に係る屋根構築物の樋受けの配置を説明するための模式図。
【図７】前記実施形態に係る屋根構築物の柱体の施工状態を示す斜視図。
【図８】前記実施形態に係る屋根構築物の桁材の施工状態を示す斜視図。
【図９】前記実施形態に係る屋根構築物の枠体の施工状態を示す斜視図。
【図１０】前記実施形態に係る屋根構築物の軒天パネル等の施工状態を示す斜視図。
【図１１】前記実施形態に係る屋根構築物の棟木等の施工状態を示す斜視図。
【図１２】前記実施形態に係る屋根構築物の屋根ふき材等の施工状態を示す斜視図。
【発明を実施するための形態】
【００１７】
［本実施形態の構成］
以下、本発明の実施形態を図面に基づいて説明する。
図１〜３において、本実施形態に係る屋根構築物である屋根付き門１は、主に戸建住宅用あるいは集合住宅用の門として利用されるものであり、地面や基礎に立設される袖壁２（２Ａ，２Ｂ）と、袖壁２に支えられる屋根体３とを備えて構成される。
なお、図中において、矢印Ｘは間口方向を示し、矢印Ｙは奥行方向を示し、矢印Ｚは高さ方向を示す。間口方向Ｘ、奥行方向Ｙ、高さ方向Ｚは互いに直交する方向である。また、図３においては、説明の便宜上、袖壁２の横材２２、縦材２３、外壁材２４は図示省略する。
【００１８】
袖壁２Ａは、柱体２１と、横材２２と、縦材２３と、外壁材２４（化粧材）とを備えて構成されている。柱体２１、横材２２、縦材２３は、アルミ押出形材によって形成されている。
柱体２１は、三本設けられており、奥行方向Ｙに所定間隔を隔てて並んで配置されている。各柱体２１は、四角柱状であって内部が中空に形成されている。横材２２は、各柱体２１間に複数本が高さ方向Ｚに所定間隔を隔てて並んで配置されている。各横材２２の両端は、柱体２１にねじ止め固定されている。縦材２３は、柱体２１間に配置され、複数の横材２２にそれぞれねじ止めされている。外壁材２４は、柱体２１、横材２２、縦材２３に図示しないアルミ板等の下地パネルを介して装着されてこれらを覆っている。
【００１９】
なお、袖壁２Ｂは、袖壁２Ａと同様に形成されているので、図に同符号を適宜付して、その詳細な説明を省略する。
袖壁２Ａ，２Ｂは、屋根体３の外周縁よりも内側に離れて位置している。これにより、屋根付き門１は、雨仕舞などを設けなくても、柱体２１および外壁材２４との接合部分に雨水などが上方から浸入しない。
【００２０】
屋根体３は、袖壁２に取り付けられる天井パネル体４と、天井パネル体４に取り付けられる屋根パネル体６と、雨樋７（図１１参照）とを備えて構成されている。
天井パネル体４は、桁材４１（４１Ａ，４１Ｂ）と、枠体４２と、複数の軒天パネル４３と、樋受け４４とを備えて構成されている。桁材４１、枠体４２、軒天パネル４３および樋受け４４は、アルミ押出形材によって形成されている。
【００２１】
桁材４１は、奥行方向Ｙに沿って配置され、各柱体２１に取り付けられている。桁材４１は、図４，５に示すように、桁本体５１と、桁本体５１に取り付けられたパネル材５２とを備えて構成されている。桁本体５１は、桁部５３と、延出片部５４，５５と、連結部５６，５７と、立上り片部５８，５９とを有して構成されている。
【００２２】
桁部５３は、下片部５３１、側片部５３２，５３３および上片部５３４を有して断面略口字形状に形成されている。下片部５３１には、パネル材５２と係合する係合溝５３５が形成されている。
延出片部５４は、下片部５３１から図４，５において右側に延出して形成されている。延出片部５４の右側の縁部には段部５４１が形成されている。
延出片部５５は、下片部５３１から図４，５において左側に延出して形成されている。延出片部５５の左側の縁部には段部５５１が形成されている。
【００２３】
立上り片部５８は、延出片部５４の段部５４１から上方に立ち上げられて形成されている。連結部５６は、立上り片部５８から図４，５において右側に延出して形成されている。連結部５７は、延出片部５５の段部５５１から上方に立ち上げられ、この立ち上げ端から図４，５において右側に延びて形成されている。立上り片部５９は、連結部５７から上方に立ち上げられて形成されている。
【００２４】
パネル材５２は、図４，５において右側の縁部に連結部５２１を有し、左側の縁部に係合部５２２を有して形成されている。係合部５２２は係合溝５３５に係合している。連結部５２１は、パネル材５２の右側の縁部から上方に立ち上げられ、この立ち上げ端から図４，５において左側に延びて形成されている。この連結部５２１は、ビス８によって延出片部５４の段部５４１に固定されている。
【００２５】
この桁材４１では、下片部５３１の見え掛かり部分および延出片部５５と、パネル材５２とによって桁パネル部５０が構成されている。パネル材５２の下面形状と下片部５３１の見え掛かり部分および延出片部５５の下面形状とは、外観上互いに同じとなるように形成されている。
本実施形態では、パネル材５２の下面（見え掛かり面）の間口方向Ｘにおける幅寸法Ｗ１、並びに、下片部５３１の見え掛かり部分および延出片部５５の下面（見え掛かり面）の間口方向Ｘにおける幅寸法Ｗ２は、１００ｍｍとされている。従って、桁パネル部５０の下面（見え掛かり面）全体の幅寸法Ｗは、２００ｍｍであり（図５参照）、後述する幅寸法Ｗ３の整数倍の寸法である。なお、本実施形態では、間口方向Ｘにおける幅寸法Ｗ２は、約１００ｍｍとしたが、これに限定されず任意の寸法でよく、例えば幅寸法Ｗ２を約６０ｍｍとした場合には、桁パネル部５０の下面全体の幅寸法Ｗは約１２０ｍｍとされる。
【００２６】
桁材４１Ａの下片部５３１およびパネル材５２は、ボルト９、断面コ字形状の連結金具１０、断面ハット形状の裏板金具１５によって袖壁２Ａの柱体２１の上部に固定されている。具体的には、桁材４１Ａに裏板金具１５を組み込んだ後、裏板金具１５と連結金具１０とをボルト９によって連結して桁材４１Ａを挟み込み、連結金具１０の左右の垂下片部を柱体２１にボルト９によって固定することで、桁材４１Ａは柱体２１に固定される。なお、連結金具１０は、柱体２１の上部を塞ぐ向きに配置される。桁材４１Ａは、柱体２１に対して任意の位置に固定される。このため、桁材４１Ａを袖壁２Ａに対して奥行方向Ｙ（桁材４１Ａの長手方向）に位置調整可能である。換言すれば、柱体２１は、桁材４１Ａの奥行方向Ｙにおける任意の位置に取り付けられている。桁材４１Ａの奥行方向両端部分の側片部５３２，５３３は、ビス８、アングル材１１によって後述する枠材４２１，４２２に取り付けられている。桁材４１Ａの桁パネル部５０は、ビス８によって枠材４２１，４２２に取り付けられている。このように枠体４２に取り付けられた桁材４１Ａは、各ビス８を外すことによって枠体４２から取り外し可能である。
また、桁材４１Ａの連結部５６は、隣接する軒天パネル４３とビス８によって連結されており、桁材４１Ａの連結部５７は、隣接する樋受け４４とビス８によって連結されている。
【００２７】
桁材４１Ｂは、桁材４１Ａと同様にして、袖壁２Ｂに取り付けられ、枠体４２に取り外し可能に連結されている。袖壁２Ｂに対する桁材４１Ｂの取付位置は、桁材４１Ｂに沿って奥行方向Ｙ（桁材４１Ｂの長手方向）における任意の位置に調整可能である。
また、桁材４１Ｂの連結部５６は、隣接する樋受け４４とビス８によって連結されており、桁材４１Ｂの連結部５７は、隣接する軒天パネル４３とビス８によって連結されている。
【００２８】
枠体４２は、アルミ押出形材によって形成された枠材４２１，４２２，４２３，４２４をビス８、アングル材１２によって四方枠組みして形成されている。枠材４２１，４２２は間口方向Ｘに沿って配置されており、枠材４２３，４２４は奥行方向Ｙに沿って配置されている。枠材４２１，４２２，４２３，４２４の内面には、図３に示すように、枠材４２１，４２２，４２３，４２４に沿って延びた支持部４２５がそれぞれ形成されている。枠材４２３，４２４の支持部４２５には、樋受け４４の縁部が載置されている。
【００２９】
枠材４２１，４２２の支持部４２５には、枠材４２１，４２２に沿って間口方向Ｘに等間隔離れて位置する複数の取付部４２６が設けられている。複数の取付部４２６は、ビス８が螺合するビス孔（図示省略）を有してそれぞれ形成されている。複数の取付部４２６同士の間隔の単位寸法Ｗ０は、軒天パネル４３の下面（見え掛かり面）の幅寸法Ｗ３および樋受け４４の下面（見え掛かり面）の幅寸法Ｗ４と同じに予め設定されている。
枠材４２１，４２２の支持部４２５には、桁パネル部５０、軒天パネル４３および樋受け４４の両端が載置されており、複数の取付部４２６には、桁パネル部５０、軒天パネル４３および樋受け４４の両端がビス８によってそれぞれ取り付けられている。なお、枠材４２１，４２２には、桁材４１の側片部５３２，５３３が前述した通りビス８、アングル材１１によって連結されている。
【００３０】
複数の軒天パネル４３は、間口方向Ｘに並んで配置されている。各軒天パネル４３は、図４，５に示すように、右側の縁部に連結部４３１を有し、左側の縁部に連結部４３２を有して形成されている。連結部４３１は、軒天パネル４３の右側の縁部から上方に立ち上げられ、この立ち上げ端から右側に延びて形成されている。連結部４３２は、軒天パネル４３の左側の縁部に筒状に形成されている。
【００３１】
各軒天パネル４３の下面形状は、パネル材５２の下面、並びに、下片部５３１の見え掛かり部分および延出片部５５の下面形状と外観上同じとなるように形成されている。本実施形態では、各軒天パネル４３の間口方向Ｘにおける幅寸法Ｗ３は、幅寸法Ｗ１，Ｗ２と同じ１００ｍｍの寸法とされている。これにより、軒天パネル４３が二枚並んで設けられた状態における下面形状は、桁パネル部５０の下面形状と外観上同じような形状となる（図５参照）。
【００３２】
樋受け４４は、図４に示すように、アルミ押出形材によって形成された樋受け本体４４０と、樋受け本体４４０の両端にそれぞれ設けられた端板４４６とを有して構成されている。
【００３３】
樋受け本体４４０は、図４，６に示すように、樋受けパネル部４４１と、立上り片部４４２，４４３と、連結部４４４，４４５とを有して構成されている。
樋受けパネル部４４１には、排水管４５０が適宜設けられており、排水管４５０に対応する位置に排水用の孔（図示省略）が形成されている。立上り片部４４２は、図４において樋受けパネル部４４１の右側の縁部から上方に立ち上げられて形成されている。立上り片部４４２の先端部は、図４において左側に延びて形成されている。立上り片部４４３は、図４において樋受けパネル部４４１の左側部分から上方に立ち上げられて形成されている。立上り片部４４３の先端部は、図４において右側に延びて形成されている。連結部４４４は、立上り片部４４２から右側に延びて形成されている。連結部４４５は、樋受けパネル部４４１の左側の縁部から立ち上げられ、この立ち上げ端から右側に延びて立上り片部４４３に連続して形成されている。
この樋受け本体４４０は、主に樋受けパネル部４４１および立上り片部４４２，４４３によって、雨水を受ける凹溝部４４８を形成している。
【００３４】
端板４４６は、樋受け本体４４０にビス止めされており、樋受け本体４４０によって形成される凹溝部４４８の両端を塞いでいる。
なお、樋受け本体４４０は、雨樋７に設けられた雨水のドレイン排水部品７１から排水される水を受け、樋受けパネル部４４１に設けられた排水管４５０を通じて外部に排水される。
【００３５】
樋受けパネル部４４１の下面形状は、軒天パネル４３の下面形状と外観上同じとなるように形成されている。樋受けパネル部４４１の下面の間口方向Ｘにおける幅寸法Ｗ４は、軒天パネル４３の幅寸法Ｗ３と同じ１００ｍｍの寸法である（図６参照）。
【００３６】
図２において左側に示す樋受け４４は、図４に拡大して示すように、連結部４４４が隣接する桁材４１Ａの連結部５７にビス８によって連結されており、連結部４４５がビス８、アングル材１３によって枠材４２３に連結されている。また、この樋受け４４の樋受けパネル部４４１の左側の縁部は、枠材４２３の支持部４２５によって支持されている。
【００３７】
図２において桁材４１Ｂの右側に示す設けられた軒天パネル４３は、連結部４３１がビス８、アングル材１３によって枠材４２４に連結されており、この軒天パネル４３の下面が枠材４２４の支持部４２５によって支持されている。また、連結部４３２は、隣接する桁材４１Ｂの連結部５６にビス８によって連結されている。
ここで、桁パネル部５０、軒天パネル４３および樋受け４４は、互いに共通の接合構成を有している。つまり、桁パネル部５０の連結部５６，５７と軒天パネル４３の連結部４３１，４３２とがビス８によって接合される構造、連結部５６，５７と樋受け４４の連結部４４４，４４５とがビス８によって接合される構造、連結部４３１，４３２と連結部４４４，４４５とがビス８によって接合される構造は、互いに共通している。従って、桁パネル部５０、軒天パネル４３および樋受け４４を並びかえてもそれぞれ接合可能である。
なお、桁材４１Ｂの右側には軒天パネル４３が配置されているが、これに代えて、樋受け４４が配置されてもよい。
【００３８】
桁材４１は、間口方向Ｘ（枠材４２１，４２２に沿った方向）において枠材４２１，４２２の複数の取付部４２６のいずれかに取り付けられる。これにより、桁材４１と枠材４２１，４２２との取付位置を、枠材４２１，４２２に沿って単位寸法Ｗ０毎に調整可能である。
また、図５に示すように、桁材４１は間口方向Ｘにおいて位置調整可能である。具体的には、桁材４１および軒天パネル４３を枠体４２から取り外すとともに、桁材４１に隣接する軒天パネル４３などとの連結を外す。次に、桁材４１を間口方向Ｘに単位寸法Ｗ０毎に移動して位置決めし、桁材４１の移動後に空いた箇所に対し、取り外しておいた軒天パネル４３を配置する。そして、位置決め、配置した桁材４１および軒天パネル４３を枠材４２１，４２２に取り付け、桁材４１を隣接する軒天パネル４３などに連結する。このように桁材４１と軒天パネル４３とを付け替えることによって、桁材４１の間口方向Ｘの位置調整を行える。
さらに、上記同様にして桁材４１と樋受け４４とを付け替えることによっても桁材４１、樋受け４４の間口方向Ｘの位置調整を行える。
以上のように、桁材４１の間口方向Ｘにおける位置調整を行えるため、設計変更等によって柱体２１の間口方向Ｘにおける位置が変わっても、この位置に対応して桁材４１を位置決めできる。
【００３９】
また、樋受け４４は、間口方向Ｘにおいて枠材４２１，４２２の複数の取付部４２６のいずれかに取り付けられる。これにより、樋受け４４と枠材４２１，４２２との取付位置を、枠材４２１，４２２に沿って単位寸法Ｗ０毎に調整可能である。
また、図６に示すように、樋受け４４と軒天パネル４３とを付け替えることが可能である。具体的には、樋受け４４および軒天パネル４３を枠体４２から取り外すとともに、樋受け４４を隣接する桁材４１などとの連結を外す。次に、樋受け４４と軒天パネル４３とを付け替えて配置する。そして、配置した樋受け４４および軒天パネル４３を枠体４２に取り付け、樋受け４４および軒天パネル４３を隣接する桁材４１や軒天パネル４３に連結する。このようにして、樋受け４４と軒天パネル４３とを付け替えられる。
【００４０】
図２に示すように、屋根パネル体６は、切妻型であり、棟木６１と、母屋６２と、垂木６３と、屋根ふき材６５と、押え材６６とを備えて構成されている。棟木６１、母屋６２および垂木６３は、アルミ押出形材によって形成されている。
棟木６１および母屋６２は、ビス８によって桁材４１Ａ，４１Ｂの上片部５３４に固定されている。棟木６１は、奥行方向Ｙにおいて屋根体３の中央部に配置されている。母屋６２は、奥行方向Ｙにおける棟木６１の両側に所定間隔を隔てて複数設けられている。
垂木６３は、奥行方向Ｙにおいて棟木６１の両側に配置されており、棟木６１および母屋６２に固定されている。垂木６３は、間口方向Ｘに所定間隔を隔てて複数設けられている。
屋根ふき材６５は、奥行方向Ｙにおいて棟木６１の両側に傾斜して設けられており、複数の押え材６６によって上方から押さえられている。
【００４１】
［本実施形態の施工］
以下、本実施形態に係る屋根付き門１について説明する。
先ず、図７に示すように、袖壁２Ａ，２Ｂを形成する各柱体２１を設置して横材２２、縦材２３を取り付ける。このとき、柱体２１の位置を間口方向Ｘに変更した場合には、この位置変更に対応して、桁材４１の位置を間口方向Ｘにおいて単位寸法Ｗ０毎に調整する。また、柱体２１の位置を奥行方向Ｙに変更した場合には、この位置変更に対応して、ボルト９、断面コ字形状の連結金具１０による桁材４１の柱体２１への連結位置を奥行方向Ｙに調整する。
次に、図８に示すように、袖壁２Ａを形成する柱体２１の上部に桁材４１Ａを取り付け、袖壁２Ｂを形成する柱体２１の上部に桁材４１Ｂを取り付ける。このとき、各柱体２１と桁材４１Ａ，４１Ｂとの連結位置は、ボルト９の螺合位置を任意の位置に設定することによって調整可能である。
次に、図９に示すように、枠材４２１，４２２を桁材４１Ａ，４１Ｂの両端に取り付けるともに、枠材４２１，４２２の両端に枠材４２３，４２４を連結して枠体４２を形成する。
次に、図１０に示すように、軒天パネル４３、樋受け４４を枠体４２内に間口方向Ｘに沿って並べて配置し、枠材４２１，４２２に取り付けることで、天井パネル体４を構成する。これにより、桁パネル部５０、軒天パネル４３および樋受け４４が連なって位置して天井面を形成する。
次に、図１１に示すように、棟木６１、母屋６２を桁材４１Ａ，４１Ｂに取り付け、雨樋７を枠材４２１，４２２に沿って取り付ける。続いて、垂木６３を棟木６１、母屋６２に取り付ける。
次に、図１２に示すように、屋根ふき材６５を垂木６３上に載置し、押え材６６を垂木６３にビス止めして屋根ふき材６５を上方から押さえる。なお、屋根ふき材６５と枠材４２１，４２２間にはカバー６７が設けられる。
最後に、各柱体２１に図示しない下地パネルを取り付け、この下地パネルと柱体２１に外壁材２４を取り付ける。このように形成された屋根体３の外周縁の内側には袖壁２Ａ，２Ｂが位置する。
このようにして、図１に示す屋根付き門１を施工する。なお、屋根付き門１には、扉がさらに設けられてもよい。
【００４２】
［本実施形態の効果］
（１）袖壁２Ａ，２Ｂの柱体２１に対して桁材４１Ａ，４１Ｂを奥行方向Ｙにおける任意の位置に連結することで、各柱体２１と桁材４１Ａ，４１Ｂとの連結位置を奥行方向Ｙの任意位置に調整できる。また、桁材４１Ａ，４１Ｂは、複数の軒天パネル４３および樋受け４４のいずれとも接合可能な桁パネル部５０を有するため、桁パネル部５０と軒天パネル４３、樋受け４４とを設計上適宜に並べ変えて配置し接合できる。このため、桁パネル部５０と軒天パネル４３とが連なった状態のまま、桁材４１Ａ，４１Ｂを間口方向Ｘに位置設定でき、各柱体２１を間口方向Ｘに任意に位置調整できる。従って、例えば屋根付き門１の現場施工時における各柱体２１の位置が、工場出荷時における初期設定位置に対して変更を要する場合、各柱体２１の位置を間口方向Ｘおよび奥行方向Ｙの二方向に位置調整でき、施工性を向上できる。
さらに、桁材４１Ａ，４１Ｂと枠材４２１，４２２との取付位置が、枠材４２１，４２２に沿って予め設定された単位寸法Ｗ０毎に設定可能とされ、枠材４２１，４２２に沿った方向における軒天パネル４３の幅寸法Ｗ３が単位寸法Ｗ０に応じた寸法（本実施形態では同じ寸法）と同じとされるため、桁材４１Ａ，４１Ｂを枠材４２１，４２２に沿って単位寸法Ｗ０（幅寸法Ｗ３に応じた寸法）毎に位置調整できる。このため、各柱体２１の位置を間口方向Ｘに位置調整できる。
また、桁材４１Ａ，４１Ｂと軒天パネル４３とを付け替えることもできる。つまり、軒天パネル４３を枠材４２１，４２２から取り外し、取り外した箇所に桁材４１Ａ，４１Ｂを移動して取り付け、移動前に桁材４１Ａ，４１Ｂが存在していた空き箇所に対して、先に取り外した軒天パネル４３を再び取り付けることができる。これにより、例えば、作業現場において設置した柱体２１の実際の位置が設計上の位置から変更された場合であっても、柱体２１の実際の位置に対応して桁材４１Ａ，４１Ｂを枠材４２１，４２２に沿って位置調整できる。
このように、柱体２１の位置調整可能な方向が桁材４１Ａ，４１Ｂに沿った方向（奥行方向Ｙ）に限られず、枠材４２１，４２２に沿った方向（間口方向Ｘ）まで拡張でき、施工性を向上できる。
また、設計当初から屋根体３に対する袖壁２Ａ，２Ｂの位置を厳密に設定していなくても、作業現場において設置後の柱体２１の位置に対応して桁材４１Ａ，４１Ｂを自由に配置でき、設計から施工までに要する日数の短縮を図れる。
加えて、柱体２１に対して桁材４１Ａ，４１Ｂを間口方向Ｘおよび奥行方向Ｙに自由に配置できるため、予め工場で桁材４１Ａ，４１Ｂを位置決めして組み立てた屋根体３または屋根付き門１を現場まで搬送する必要をなくし、各部材ごとの搬送を可能として搬送負担を軽減でき、搬送コストを削減できる。
さらに、桁材４１、軒天パネル４３、樋受け４４の位置を、間口方向Ｘに単位寸法Ｗ０毎の任意の位置に調整した場合であっても、天井パネル体４の天井面は、桁材４１、軒天パネル４３および樋受け４４によって隙間なく形成される。このため、天井を塞ぐための専用部材を別途準備して設置する必要がなく、施工性の向上を図れる。
（２）桁材４１Ａ，４１Ｂと枠材４２１，４２２との取付位置が、複数の軒天パネル４３の幅寸法Ｗ３に応じた寸法毎の任意の位置とされるため、任意枚数の軒天パネル４３の枠材４２１，４２２への取付位置を変更することで、桁材４１Ａ，４１Ｂの位置調整の自由度を向上できる。本実施形態では、複数の軒天パネル４３同士の幅寸法Ｗ３が同じであるため、桁材４１Ａ，４１Ｂの位置を、枠材４２１，４２２に沿って予め設定した単位寸法Ｗ０またはその整数倍をもって簡単に位置設定できる。このため、柱体２１に対する桁材４１Ａ，４１Ｂの位置合わせを、より容易に行うことができる。
（３）桁パネル部５０の幅寸法Ｗが二枚の軒天パネル４３の幅寸法Ｗ３に応じた寸法（一枚の軒天パネル４３の幅寸法Ｗ３の整数倍に応じた寸法）とされるため、桁パネル部５０の下面形状を、二枚の軒天パネル４３が並設された状態における下面全体の形状と外観上同じとなるように形成することが簡単となる。また、樋受け４４の幅寸法Ｗ４が軒天パネル４３の幅寸法Ｗ３に応じた寸法とされるため、軒天パネル４３と樋受け４４との下面形状を外観上同じとなるように形成することも簡単となり、桁パネル部５０の下面形状を軒天パネル４３および樋受け４４が並設された状態における下面全体の形状と外観上同じとなるように形成することも簡単となる。このように桁パネル部５０、軒天パネル４３および樋受け４４の下面形状を形成した場合には、桁パネル部５０、軒天パネル４３および樋受け４４によって、枠材４２１，４２２に沿って連続する形状とされて繰り返しパターンの意匠を構成する天井面を形成できる。また、桁材４１を間口方向Ｘに位置調整した場合や、桁材４１を軒天パネル４３や樋受け４４と付け替えた場合でも、前述した繰り返しパターンの意匠が損なわれることなく維持できる。
さらに、桁パネル部５０の幅寸法Ｗが二枚の軒天パネル４３の幅寸法Ｗ３の合計と同じであるため、ビス８，ボルト９、断面コ字形状の連結金具１０、アングル材１１、裏板金具１５などの連結具を取り付けるためのスペースを確保でき、桁材４１の柱体２１に対する取付強度、枠材４２１，４２２に対する連結強度の向上を図れる。
（４）桁パネル部５０の幅寸法Ｗが軒天パネル４３の幅寸法Ｗ３の２倍に応じた寸法であるが、当該桁パネル部５０が、幅寸法Ｗ３に応じた幅寸法Ｗ１を有するパネル材５２を配置することで、天井面を形成する桁パネル部５０および軒天パネル４３の下面形状を容易に統一でき、繰り返しパターンの意匠を構成する天井面を簡単に形成できる。
（５）樋受け４４は桁パネル部５０および軒天パネル４３と連なって位置し、樋受け４４の幅寸法Ｗ４は、軒天パネル４３の幅寸法Ｗ３に応じた寸法とされるため、枠材４２１，４２２と樋受け４４との取付位置が、軒天パネル４３の幅寸法Ｗ３に応じた寸法毎に設定可能となり、樋受け４４を枠材４２１，４２２に沿った方向に位置調整できる。このため、排水位置の移動を簡単に行うことができ、位置調整の自由度を拡げて施工性のさらなる向上を図れる。
（６）柱体２１が屋根体３の外周縁から内側に離れて位置するため、袖壁２が雨などに直接さらされない構成となる。これにより、柱体２１と外壁材２４との接合部分の上方は、屋根体３によって覆われるので、笠木などの雨仕舞を設けなくても前述した接合部分に雨水などが浸入するおそれがなく、雨仕舞を設ける手間を省いて施工の簡略化を図れる。
【００４３】
［変形例］
本発明は、以上の実施形態で説明した構成のものに限定されず、本発明の目的を達成できる範囲での変形例は、本発明に含まれる。
例えば、前記実施形態では、桁パネル部５０の幅寸法Ｗを二枚の軒天パネル４３の幅寸法Ｗ３の合計と同じ寸法としたが、これに限定されず、例えば、一枚の軒天パネル４３の幅寸法Ｗ３と同寸法としてもよく、また、三枚以上の軒天パネル４３の幅寸法Ｗ３の合計と同寸法としてもよい。
桁パネル部５０の幅寸法Ｗを一枚の軒天パネル４３の幅寸法Ｗ３と同寸法とする場合には、桁パネル部５０の下面形状は、一枚の軒天パネル４３の下面形状と外観上同じとなるように形成されていてもよい。
また、桁パネル部５０の幅寸法Ｗを三枚以上の軒天パネル４３の幅寸法Ｗ３の合計と同寸法とする場合には、桁パネル部５０の下面形状は、当該三枚以上の軒天パネル４３が並設された状態における全体の下面形状と外観上同じとなるように形成されていてもよい。
桁パネル部５０が前述した幅寸法Ｗを有して形成されている場合であっても、幅寸法Ｗが幅寸法Ｗ３と同じかまたは整数倍の寸法であれば、桁パネル部５０および軒天パネル４３によって、枠材４２１，４２２に沿って連続する形状である繰り返しパターンの意匠とした天井面を形成できる。
さらに、桁パネル部５０の幅寸法Ｗが軒天パネル４３の幅寸法Ｗ３の２以上の整数倍に応じた寸法である場合には、複数のパネル材５２を幅寸法Ｗ３に応じた寸法毎に並べて配置してもよい。
【００４４】
前記実施形態では、複数の軒天パネル４３の幅寸法Ｗ３は互いに同じとされているが、これに限定されず、例えば、複数の軒天パネル４３が互いに異なる幅寸法Ｗ３、例えば、幅寸法Ｗ３の二倍、三倍などの整数倍の寸法を有していてもよい。また、樋受け４４の幅寸法Ｗ４は軒天パネル４３の幅寸法Ｗ３と同じとされているが、樋受け４４は、軒天パネル４３の幅寸法Ｗ３に対して異なる幅寸法Ｗ４、例えば幅寸法Ｗ３の二倍、三倍などの整数倍の寸法を有していてもよい。このように幅寸法Ｗ３同士や幅寸法Ｗ４が相互に異なる場合であっても、枠材４２１，４２２の取付部４２６同士の間隔の単位寸法Ｗ０を、複数の軒天パネル４３および樋受け４４のうち最も狭幅のものの幅寸法Ｗ３または幅寸法Ｗ４と同じ寸法に設定することで、間口方向Ｘにおける柱体２１の位置調整の自由度を確保できる。
【００４５】
前記実施形態では、屋根付き門１は、柱体２１に取り付けられる桁材４１Ａ，４１Ｂに加えて、柱体２１に取り付けられずに枠材４２１，４２２に連結される桁材４１をさらに備えていてもよい。
【００４６】
前記実施形態では、天井パネル体４は、樋受け４４を備えて構成されているが、この樋受け４４を省略して構成されていてもよい。
【００４７】
前記実施形態では、複数の軒天パネル４３および樋受け４４は、互いに同幅寸法Ｗ３,Ｗ４とされているが、これに限定されず、互いに付け替え可能な範囲内で各幅寸法が異なっていてもよい。
【００４８】
前記実施形態では、屋根体３は、切妻型の屋根パネル体６を備えて構成されているが、これに限定されず、例えば、片流れ型の屋根パネル体を備えて構成されていてもよい。
【００４９】
前記実施形態では、屋根付き門１を屋根構築物の一例として説明したが、前述した屋根付き門１のほかにも、例えば、カーポートなどを屋根構築物としてもよく、この場合、柱体２１によって屋根体３を片持ちする構造とされてもよい。
【００５０】
前記実施形態では、柱体２１は、屋根体３の外周縁から内側に離れて位置しているが、これに限定されず、例えば、屋根体３の外周縁に沿って位置してもよい。この場合、柱体２１と外壁材２４との接合部分に雨仕舞やシールなどを設けてもよい。
【００５１】
前記実施形態では、アルミ押出形材によって形成されている柱体２１を説明したが、これに限らず、コンクリートブロックやレンガ積みして構成される柱体であってもよい。この場合には、コンクリートブロックやレンガ積みして構成される壁体の上部に柱体を設け、当該柱体を桁材４１と連結する。
【００５２】
前記実施形態では、柱体２１は、三本設けられているが、これに限定されず、例えば奥行方向Ｙが短い屋根体３を構成する場合には、柱体２１の本数を減らしてもよく、二本等
にしてもよい。また、奥行方向Ｙが長い屋根体３を構成する場合には、柱体２１の本数を四本以上に増やしてもよい。
【符号の説明】
【００５３】
１…屋根付き門、２（２Ａ，２Ｂ）…袖壁、３…屋根体、４…天井パネル体、６…屋根パネル体、７…雨樋、８…ビス、９…ボルト、１０…連結金具、１１〜１３…アングル材、１５…裏板金具、２１…柱体、２２…横材、２３…縦材、２４…外壁材、４１（４１Ａ，４１Ｂ）…桁材、４２…枠体、４３…軒天パネル、４４…樋受け、５０…桁パネル部、５１…桁本体、５２…パネル材、５３…桁部、５４，５５…延出片部、５６，５７，４３１，４３２，４４４，４４５，５２１…連結部、５８，５９，４４２，４４３…立上り片部、６１…棟木、６２…母屋、６３…垂木、６５…屋根ふき材、６６…押え材、６７…カバー、７１…ドレイン排水部品、４２１〜４２４…枠材、４２５…支持部、４２６…取付部、４４０…樋受け本体、４４１…樋受けパネル部、４４６…端板、４４８…凹溝部、４５０…排水管、５２２…係合部、５３１…下片部、５３２，５３３…側片部、５３４…上片部、５３５…係合溝、５４１，５５１…段部、Ｗ、Ｗ１〜Ｗ４…幅寸法、Ｗ０…単位寸法、Ｘ…間口方向、Ｙ…奥行方向、Ｚ…高さ方向。
【図１】
0006535199.tif 000002
【図２】
0006535199.tif 000003
【図３】
0006535199.tif 000004
【図４】
0006535199.tif 000005
【図５】
0006535199.tif 000006
【図６】
0006535199.tif 000007
【図７】
0006535199.tif 000008
【図８】
0006535199.tif 000009
【図９】
0006535199.tif 000010
【図１０】
0006535199.tif 000011
【図１１】
0006535199.tif 000012
【図１２】
0006535199.tif 000013